(57)【要約】【課題】記録媒体カートリッジに設けられるシャッタの誤開放の防止をより強固に図る。【解決手段】シャッタロックの解除に係る条件として１）シャッタのロックが複数箇所で行われる（シャッタのロック解除は複数箇所にて行う必要がある）、２）ロック部がカートリッジの筐体内部に設けられ、ロックの解除が外部からの磁力又は電力に応じて行われる、３）シャッタロックを解除するための順番が規定されており、その順でロック解除を行わなければシャッタの全てのロック状態を解除できない、を設定する。このことで、シャッタの誤開放が生じる可能性をより低くすることができる。特に上記３）の条件が課されることによってシャッタの誤開放が生じる可能性は格段に低くすることができる。【選択図】図３
2010211852.tif 000002
【特許請求の範囲】
【請求項１】
内部に記録媒体を格納し、且つ上記記録媒体への記録／再生を可能とするための開口部が形成された筐体と、
上記開口部を開／閉するように開閉自在に上記筐体に対して設けられたシャッタとを備えると共に、
閉状態の上記シャッタと上記筐体とで覆われた空間内部において、
閉状態にある上記シャッタの一部を係止する第１の係止部材を有し、該第１の係止部材が外部からの磁力又は電力に応じて移動されるように構成され、且つ、上記第１の係止部材が上記磁力又は電力に応じて移動されることで、上記シャッタの一部の係止状態を解除するように構成された第１のロック部と、
閉状態にある上記シャッタの他の一部を係止する第２の係止部材を有し、該第２の係止部材が外部からの磁力又は電力に応じて移動するように構成され、且つ、上記第２の係止部材が上記磁力又は電力に応じて移動されることで、上記シャッタの上記他の一部の係止状態が解除されるように構成された第２のロック部と、
上記第２の係止部材の移動に伴い上記第２のロック部による上記シャッタの係止状態が先に解除された場合に、上記第１のロック部による上記シャッタの係止状態の解除を不能とするように構成されたロック解除順設定部とが備えられている
記録媒体カートリッジ。
【請求項２】
上記第１のロック部、上記第２のロック部は、
それぞれ磁性体を備え、外部からの磁力に応じて上記磁性体が移動することに伴って上記第１の係止部材、上記第２の係止部材が移動するように構成されており、
上記解除順設定部は、
上記磁性体に対する外部からの磁力に応じて上記第２のロック部による上記シャッタの係止状態の解除が先に行われた場合に、上記第１の係止部材が上記シャッタの一部を係止したままの状態で移動が不能となるようにして上記第１の係止部材をロックするように構成されている
請求項１に記載の記録媒体カートリッジ。
【請求項３】
上記第１のロック部と上記第２のロック部とが、上記閉状態のシャッタと上記筐体とで覆われた空間内部におけるそれぞれ離間した位置に配置されている
請求項２に記載の記録媒体カートリッジ。
【請求項４】
上記第１のロック部は、
上記第１の係止部材が外部からの磁力に応じて第１の方向に移動されることに応じて、上記シャッタの一部の係止状態を解除するように構成され、
上記第２のロック部は、
上記第２の係止部材が外部からの磁力に応じて上記第１の方向とは逆方向である第２の方向に移動されることに応じて、上記シャッタの他の一部の係止状態を解除するように構成されている
請求項３に記載の記録媒体カートリッジ。
【請求項５】
上記第１のロック部における上記第１の係止部材には、第１の凹部と、該第１の凹部よりもサイズが小とされ且つ上記第１の凹部よりも上記第１の方向側に形成された第２の凹部とが形成され、
上記第２のロック部における上記第２の係止部材には凹部が形成されており、
上記解除順設定部は、
その一方の端部に上記第１の係止部材における上記第２の凹部と勘合可能なスライドロック用凸部が形成されたリンクバーを備えると共に、
上記第１の係止部材と上記第２の係止部材とが上記シャッタを係止する状態において、上記リンクバーの他方の端部が上記第２の係止部材の上記凹部が形成された位置よりも上記第１の方向側寄りの側面と対向し、且つ上記リンクバーの上記一方の端部における上記スライドロック用凸部が上記第１の係止部材における上記第２の凹部と対向するようにして上記リンクバーが位置決めされており、
さらに、上記リンクバーの上記他方の端部が上記第２の係止部材の上記側面に対して押しつけられるように上記リンクバーを付勢する付勢部材を備える
という構成とされることで、上記第２のロック部による上記シャッタの係止状態の解除が先に行われた場合に上記第１の係止部材が上記シャッタの一部を係止したままの状態で移動が不能となるようにして上記第１の係止部材をロックするようにされている
請求項４に記載の記録媒体カートリッジ。
【請求項６】
上記第１のロック部は、外部からの電力の供給に応じて上記第１の係止部材を移動させる第１の駆動素子を、また上記第２のロック部は、外部からの電力の供給に応じて上記第２の係止部材を移動させる第２の駆動素子をそれぞれ備えて構成されており、
上記解除順設定部は、
上記第２の駆動素子に対する上記電力の供給に応じて上記第２のロック部による上記シャッタの係止状態の解除が先に行われた場合に、上記第１の駆動素子に対する電力の供給を不能とするように構成されている
請求項１に記載の記録媒体カートリッジ。
【請求項７】
上記解除順設定部は、
上記第１のロック部における上記第１の駆動素子に対する電力供給線に対して挿入され且つ上記第２のロック部における上記第２の係止部材の移動と連動としてオン／オフするスイッチ部を備えることで、上記第２の駆動素子に対する上記電力の供給に応じて上記第２のロック部による上記シャッタの係止状態の解除が先に行われた場合に上記第１の駆動素子に対する電力の供給を不能とするようにされている
請求項６に記載の記録媒体カートリッジ。
【請求項８】
上記記録媒体は、信号光と参照光との干渉縞の形成により情報の記録が行われるホログラム記録層を有するホログラム記録媒体とされる
請求項１に記載の記録媒体カートリッジ。
【請求項９】
内部に記録媒体を格納し、且つ上記記録媒体への記録／再生を可能とするための開口部が形成された筐体と、上記開口部を開／閉するように開閉自在に上記筐体に対して設けられたシャッタとを備えると共に、閉状態の上記シャッタと上記筐体とで覆われた空間内部において、閉状態にある上記シャッタの一部を係止する第１の係止部材を有し、該第１の係止部材が外部からの磁力又は電力に応じて移動されるように構成され、且つ、上記第１の係止部材が上記磁力又は電力に応じて移動されることで、上記シャッタの一部の係止状態を解除するように構成された第１のロック部と、閉状態にある上記シャッタの他の一部を係止する第２の係止部材を有し、該第２の係止部材が外部からの磁力又は電力に応じて移動するように構成され、且つ、上記第２の係止部材が上記磁力又は電力に応じて移動されることで、上記シャッタの上記他の一部の係止状態が解除されるように構成された第２のロック部と、上記第２の係止部材の移動に伴い上記第２のロック部による上記シャッタの係止状態が先に解除された場合に、上記第１のロック部による上記シャッタの係止状態の解除を不能とするように構成されたロック解除順設定部とが備えられている記録媒体カートリッジについて、上記シャッタのロック解除を行う駆動装置であって、
磁力又は電力により上記第１のロック部における上記第１の係止部材を移動させる第１の駆動部と、
磁力又は電力により上記第２のロック部における上記第２の係止部材を移動させる第２の駆動部と、
上記第１の係止部材を移動させて上記第１のロック部による上記シャッタの一部の係止状態を解除させた後に、上記第２の係止部材を移動させて上記第２のロック部による上記シャッタの他の一部の係止状態を解除させるように上記第１及び上記第２の駆動部を制御する駆動制御部と
を備える駆動装置。
【請求項１０】
上記記録媒体カートリッジにおける上記第１のロック部、上記第２のロック部は、それぞれ磁性体を備え、外部からの磁力に応じて上記磁性体が移動することに伴って上記第１の係止部材、上記第２の係止部材が移動するように構成されており、
上記第１の駆動部、上記第２の駆動部は、それぞれ上記第１のロック部、第２のロック部が有する磁性体に対して上記外部からの磁力を与えるための磁性体をそれぞれ備える共に、該磁性体を上記駆動制御部からの制御に応じて移動させるように構成されている
請求項９に記載の駆動装置。
【請求項１１】
上記記録媒体カートリッジにおいて、上記第１のロック部は、外部からの電力の供給に応じて上記第１の係止部材を移動させる第１の駆動素子を、また上記第２のロック部は、外部からの電力の供給に応じて上記第２の係止部材を移動させる第２の駆動素子をそれぞれ備えて構成されており、
上記第１の駆動部は、上記第１の駆動素子に対する電力供給を行って上記第１の係止部材を移動させるように構成され、
上記第２の駆動部は、上記第２の駆動素子に対する電力供給を行って上記第２の係止部材を移動させるように構成されている
請求項９に記載の駆動装置。
【請求項１２】
内部に記録媒体を格納し、且つ上記記録媒体への記録／再生を可能とするための開口部が形成された筐体と、
上記開口部を開／閉するように開閉自在に上記筐体に対して設けられたシャッタとを備えると共に、
閉状態の上記シャッタと上記筐体とで覆われた空間内部において、
閉状態にある上記シャッタの一部を係止する第１の係止部材を有し、該第１の係止部材が外部からの磁力又は電力に応じて移動されるように構成され、且つ、上記第１の係止部材が上記磁力又は電力に応じて移動されることで、上記シャッタの一部の係止状態を解除するように構成された第１のロック部と、
閉状態にある上記シャッタの他の一部を係止する第２の係止部材を有し、該第２の係止部材が外部からの磁力又は電力に応じて移動するように構成され、且つ、上記第２の係止部材が上記磁力又は電力に応じて移動されることで、上記シャッタの上記他の一部の係止状態が解除されるように構成された第２のロック部と、
上記第２の係止部材の移動に伴い上記第２のロック部による上記シャッタの係止状態が先に解除された場合に、上記第１のロック部による上記シャッタの係止状態の解除を不能とするように構成されたロック解除順設定部とが備えられている記録媒体カートリッジについて、上記シャッタのロック解除を行うシャッタロック解除方法であって、
磁力又は電力により上記第１のロック部における上記第１の係止部材を移動させる第１の駆動手順と、
上記第１の駆動手順の実行後に、磁力又は電力により上記第２のロック部における上記第２の係止部材を移動させる第２の駆動手順と、
を有するシャッタロック解除方法。
【発明の詳細な説明】
【技術分野】
【０００１】
本発明は、開口部の形成された筐体の内部に記録媒体を格納した記録媒体カートリッジとして、特に上記開口部を覆う開閉自在のシャッタについてのロック部を備える記録媒体カートリッジに関する。また、上記シャッタのロック状態を解除するための駆動装置、さらには上記ロック状態の解除を行うためのシャッタロック解除方法に関する。
【先行技術文献】
【特許文献】
【０００２】
【特許文献１】特開昭６０−２８０８７号公報
【特許文献２】特開２００４−９４９９８号公報
【特許文献３】特開２００４−９４９９９号公報
【背景技術】
【０００３】
従来より、その筐体内部に光ディスク記録媒体などの情報記録媒体を格納した記録媒体カートリッジが知られている。
このような記録媒体カートリッジには、通常、その筐体に対してドライブ装置側による情報の記録／再生のためのアクセスを可能とするための開口部が形成されており、またこの開口部を覆う開閉自在のシャッタが備えられている。このシャッタは、上記ドライブ装置が上記記録媒体についての記録／再生を行う際には開放状態（つまり上記記録媒体がカートリッジ外界に対し露出された状態）とされ、また記録／再生の終了などに応じて上記カートリッジをイジェクトする際には、閉状態（つまり上記記録媒体が外界に対し非露出の状態）となるようにその開閉が制御される。
【０００４】
また、上記のようなシャッタを有するカートリッジには、上記シャッタのロック機構（シャッタロック機構）を備えるものがある。
このようなシャッタロック機構の具体例としては、メカ機構を利用したものを挙げることができる。メカ機構を利用したシャッタロック機構としては、例えばシャッタが閉じた状態においてシャッタの一部をメカ的な機構で係止しておき、開放時には、ドライブ装置側に設けられたピンや爪などによって上記シャッタの係止状態を解除することで、シャッタのロック状態を解除するといった機構を挙げることができる。
【０００５】
或いは、シャッタロック（解除）機構としては、上記による特許文献に記載されるように磁力を利用したものも提案されている。
すなわちこの場合、カートリッジにおけるロック機構は、外部からの磁力の作用によりそのロック状態が解除されるように構成されており、これに応じドライブ装置側では、自らの側に備えられた磁石などの磁性体を上記ロック機構に近づけることで、上記シャッタのロック／ロック解除を行うようにされる。
【発明の概要】
【発明が解決しようとする課題】
【０００６】
しかしながら、上記のような従来のシャッタロック機構は、いずれもシャッタが誤開放されてしまう虞がある。
例えば、上記メカ機構を利用したロック（解除）機構では、ドライブ装置外であっても、ユーザが針やペン先などを用いて容易にシャッタロックを解除できてしまう。
また、磁力を利用したシャッタロック（解除）機構としても、例えばユーザがカートリッジに磁性体を近づけることで比較的容易にシャッタロックを解除できてしまう場合がある。
【０００７】
カートリッジに設けられたシャッタ機構は、内部に格納される記録媒体への埃の付着や傷の防止などを意図して設けられるものであり、従ってドライブ装置外でシャッタが誤開放されてしまうことは記録／再生性能の低下を招くものとなる。
この点より、ドライブ装置外でのシャッタの誤開放は防止されるべきものとなる。
【０００８】
また、特に近年開発の進むホログラム記録媒体（ホログラフィックメモリ）は、外部光に曝されることで記録材料が反応してしまう虞があり、従ってこのようなホログラム記録媒体を格納するカートリッジにおいてシャッタが誤開放されてしまった場合には、記録媒体が使用不能となってしまう虞がある。すなわちこの場合には、特にシャッタの誤開放の防止がより強固に図られるべきものとなる。
【課題を解決するための手段】
【０００９】
本発明では以上のような問題点に鑑み、記録媒体カートリッジとして以下のように構成することとした。
すなわち、本発明の記録媒体カートリッジは、内部に記録媒体を格納し、且つ上記記録媒体への記録／再生を可能とするための開口部が形成された筐体を備える。
また、上記開口部を開／閉するように開閉自在に上記筐体に対して設けられたシャッタを備える。
そして、閉状態の上記シャッタと上記筐体とで覆われた空間内部において、
閉状態にある上記シャッタの一部を係止する第１の係止部材を有し、該第１の係止部材が外部からの磁力又は電力に応じて移動されるように構成され、且つ、上記第１の係止部材が上記磁力又は電力に応じて移動されることで、上記シャッタの一部の係止状態を解除するように構成された第１のロック部と、
閉状態にある上記シャッタの他の一部を係止する第２の係止部材を有し、該第２の係止部材が外部からの磁力又は電力に応じて移動するように構成され、且つ、上記第２の係止部材が上記磁力又は電力に応じて移動されることで、上記シャッタの上記他の一部の係止状態が解除されるように構成された第２のロック部と、
上記第２の係止部材の移動に伴い上記第２のロック部による上記シャッタの係止状態が先に解除された場合に、上記第１のロック部による上記シャッタの係止状態の解除を不能とするように構成されたロック解除順設定部とが備えられているものである。
【００１０】
また、本発明では、上記本発明の記録媒体カートリッジについて上記シャッタのロック解除を行う駆動装置として、以下のように構成することとした。
つまり、磁力又は電力により上記第１のロック部における上記第１の係止部材を移動させる第１の駆動部を備える。
また、磁力又は電力により上記第２のロック部における上記第２の係止部材を移動させる第２の駆動部を備える。
さらに、上記第１の係止部材を移動させて上記第１のロック部による上記シャッタの一部の係止状態を解除させた後に、上記第２の係止部材を移動させて上記第２のロック部による上記シャッタの他の一部の係止状態を解除させるように上記第１及び上記第２の駆動部を制御する駆動制御部を備えるようにした。
【００１１】
また、本発明では、上記本発明の記録媒体カートリッジについて上記シャッタのロック解除を行うシャッタロック解除方法として以下のようにすることとした。
すなわち、本発明のシャッタロック解除方法は、磁力又は電力により上記第１のロック部における上記第１の係止部材を移動させる第１の駆動手順と、上記第１の駆動手順の実行後に、磁力又は電力により上記第２のロック部における上記第２の係止部材を移動させる第２の駆動手順とを有するものである。
【００１２】
上記のようにして本発明では、
１）シャッタのロックが複数箇所で行われる（シャッタのロック解除は複数箇所にて行う必要がある）
２）ロック部がカートリッジの筐体内部に設けられ、ロックの解除が外部からの磁力又は電力に応じて行われる
３）シャッタロックを解除するための順番が規定されており、その順でロック解除を行わなければシャッタの全てのロック状態を解除できない
ものとしている。
このことで、シャッタの誤開放が生じる可能性をより低くすることができる。特に上記３）の条件が課されることによって、シャッタの誤開放が生じる可能性は格段に低くすることができる。
【発明の効果】
【００１３】
本発明によれば、内部に記録媒体を格納する記録媒体カートリッジに設けられたシャッタの誤開放が生じる可能性をより低くすることができる。
このことで、シャッタが誤開放されることに伴う記録／再生性能の悪化を効果的に抑制できる。
また、特に近年開発が進むホログラム記録媒体のように、外部光に曝されることで記録材料が反応してしまう虞のある記録媒体を格納する記録媒体カートリッジとされる場合には、記録媒体が使用不能となってしまう事態の発生の防止をより強固に図ることができる。
【図面の簡単な説明】
【００１４】
【図１】第１の実施の形態としての記録媒体カートリッジの外観斜視図である。
【図２】第１の実施の形態としての記録媒体カートリッジの内部構造を透視図により示した図である。
【図３】第１の実施の形態で設定されるシャッタロック解除の順番について説明するための図である。
【図４】リンクバーの端部（他方の端部）と第２ロック・スライドバーの構造を示した斜視図である。
【図５】シャッタロック時とロック解除時とにおける第２ロック・スライドバーとリンクバーの端部（他方の端部）との位置関係について説明するための図（斜視図）である。
【図６】シャッタロック時とロック解除時における第２ロック・スライドバー付近の様子を示した平面図である。
【図７】リンクバーの端部（一方の端部）と第１ロック・スライドバーの構造を示した斜視図である。
【図８】シャッタロック時における第１ロック・スライドバー付近の様子を説明するための図である。
【図９】シャッタロック解除時における第１ロック・スライドバー付近の様子を説明するための図である。
【図１０】リンクバーが第１ロック・スライドバーに形成されたリンクバー挿通部を挿通した状態を示した図である。
【図１１】リンクバーに形成されるスライドロック用凸部がスライドロック用凸部と勘合して第１ロック・スライドバーがロックされた状態を示した斜視図である。
【図１２】シャッタのロック解除、及びシャッタの開閉を行うために第１の実施の形態の駆動装置に備えられるメカ部分の構成について説明するための図である。
【図１３】第１の実施の形態の駆動装置における上記メカ部分の各部を駆動するための構成を示した図である。
【図１４】第２の実施の形態としての記録媒体カートリッジの構造を示した斜視図（透視図）である。
【図１５】第１ロック／解除用素子、第２ロック／解除用素子の構造を示した図である。
【図１６】第２の実施の形態の記録媒体カートリッジにおける第２ロック／解除用素子の配置位置付近の拡大図である。
【図１７】第２の実施の形態の記録媒体カートリッジにおけるロック解除順を設定するための構成を示した図である。
【図１８】第２の実施の形態において誤った手順によるロック解除を行った場合の作用について説明するための図である。
【図１９】第２の実施の形態としての駆動装置の内部構成を示した図である。
【発明を実施するための形態】
【００１５】
以下、発明を実施するための最良の形態（以下実施の形態とする）について説明していく。
なお、説明は以下の順序で行うものとする。
＜第１の実施の形態＞
[１．カートリッジの外観構造]
[２．カートリッジの内部構造]
[３．ロック解除順を設定するための構成]
[４．駆動装置側の構成]
[５．第１の実施の形態のまとめ]
＜第２の実施の形態＞
[６．カートリッジ側の構成]
[７．駆動装置側の構成]
＜変形例＞
【００１６】
＜第１の実施の形態＞
[１．カートリッジの外観構造]
図１は、本発明の記録媒体カートリッジの一実施形態としてのディスクカートリッジ１の外観斜視図である。
図１（ａ）はシャッタが閉状態にある場合でのディスクカートリッジ１の外観斜視図を、図１（ｂ）はシャッタが開放状態にある場合でのディスクカートリッジ１の外観斜視図をそれぞれ示している。
【００１７】
先ず、図１（ｂ）に示されるように、ディスクカートリッジ１には、その内部に光ディスク１Ｃが格納されている。
ここで「光ディスク」とは、光の照射により少なくとも記録情報の再生が行われるディスク状の記録媒体を総称したものである。具体的に、本実施の形態の場合における光ディスク１Ｃは、記録情報を担う信号光が参照光と干渉してその干渉縞により情報の記録が行われるホログラム記録層を有する、ホログラム記録媒体であるとする。
【００１８】
図１（ｂ）に示されるように、ディスクカートリッジ１は、そのケース１Ａ内に上記光ディスク１Ｃを格納している。そして、これと共にディスクカートリッジ１においては、上記ケース１Ａにおいて、上記光ディスク１Ｃに対する情報の記録／再生を可能とするための開口部ＯＨが形成されている。
【００１９】
また、上記ケース１Ａに対しては、上記開口部ＯＨにより上記光ディスク１Ｃが外界に対し露出された状態（図１（ｂ）の状態）と、上記開口部ＯＨが遮蔽されて上記光ディスク１Ｃが外界に対して非露出の状態（図１（ａ）の状態）とに切り換えを行うためのシャッタ１Ｂが設けられている。このシャッタ１Ｂは、自らの開／閉により、上記開口部ＯＨを開／閉するようにして開閉自在に上記ケース１Ａに対して設けられている。
【００２０】
[２．カートリッジの内部構造]
図２は、ディスクカートリッジ１の内部構造を透視図により示している。
この図２に示されるように、ディスクカートリッジ１内には、第１ロック・スライドバー２、第２ロック・スライドバー３、リンクバー４、第１マグネット５、第２マグネット６、バネ７,８、バー駆動用マグネット９,１０、バネ１１,１２,１３が設けられている。
本実施の形態において、これらの各部は、ケース１Ａと閉状態によるシャッタ１Ｂとで覆われた空間内において配置されている。
なおこのことからも理解されるように、図２に示されるシャッタ１Ｂは、閉状態の位置にあるものである。
【００２１】
上記第１ロック・スライドバー２は、閉状態にあるシャッタ１Ｂの一部をロック／ロック解除するためのスライド移動を行うバー状部材とされる。
この第１ロック・スライドバー２のスライド移動は、バネ７と第１マグネット５とにより可能とされる。
上記バネ７は、その一方の端部がケース１Ａ側に固着され、また上記バネ７の他方の端部は上記第１マグネット５と固着されている。
上記バネ７は、シャッタ１Ｂをロック状態とする際の上記第１ロック・スライドバー２のスライド移動方向と平行な方向（図中Ｂ方向）に、上記第１マグネット５を付勢するようにして設けられる。
【００２２】
上記第１ロック・スライドバー２の一方の先端部は、上記のようにバネ７によって上記Ｂ方向に付勢された第１マグネット５における、上記バネ７との固着面とは逆側の面に対して固着されており、これにより第１ロック・スライドバー２としても、上記Ｂ方向に付勢された状態となっている。
このようにＢ方向に付勢されている第１ロック・スライドバー２における、上記一方の先端部（上記第１マグネット５と固着された側の端部）とは逆側の端部となる他方の先端部は、後述するようにしてシャッタ１Ｂに形成されている第１勘合凹部（１Ｂ-1）に対して勘合している。つまりこれにより、閉状態にあるシャッタ１Ｂは、上記第１ロック・スライドバー２によって係止された状態にある。すなわちロック状態にある。
【００２３】
また、図中の第２ロック・スライドバー３としても、閉状態にあるシャッタ１Ｂの一部をロック／ロック解除するためのスライド移動を行うバー状部材とされる。
この第２ロック・スライドバー３のスライド移動は、バネ８と第２マグネット６とにより可能とされる。具体的に、上記バネ８は、その一方の端部がケース１Ａ側に固着され、また上記バネ８の他方の端部は上記第２マグネット６と固着されている。
上記バネ８は、シャッタ１Ｂをロック状態とする際の上記第２ロック・スライドバー３のスライド移動方向と平行な方向（図中Ｃ方向）に、上記第２マグネット６を付勢するようにして設けられている。
【００２４】
上記第２ロック・スライドバー３の一方の先端部は、上記のようにバネ８によって上記Ｃ方向に付勢された第２マグネット６における、上記バネ８との固着面とは逆側の面に対して固着されており、これにより第２ロック・スライドバー３も上記Ｃ方向に付勢された状態となっている。
このようにＣ方向に付勢されている第２ロック・スライドバー３における、上記一方の先端部（上記第２マグネット６と固着された側の端部）とは逆側の端部となる他方の先端部は、後述するようにしてシャッタ１Ｂに形成されている、上記第１勘合凹部（１Ｂ-1）とは逆側となる部分に位置する第２勘合凹部（１Ｂ-2）に対して勘合している。つまりこれにより、閉状態にあるシャッタ１Ｂは、上記第２ロック・スライドバー３によっても係止された状態（ロック状態）にある。
【００２５】
リンクバー４は、上記第１ロック・スライドバー２と上記第２ロック・スライドバー３とによるシャッタ１Ｂのロック状態を解除する際の順番を設定するために設けられている。
図示するようにリンクバー４は、当該リンクバー４を上述したＢ方向,Ｃ方向とは直交する図中のＡ方向に付勢するためのバネ１１,１２,１３とそれぞれ固着されている。これらバネ１１,１２,１３は、その一方の端部がケース１Ａ側と固着され、他方の端部が上記リンクバー４の側面に対してそれぞれ固着されている。
【００２６】
また、上記リンクバー４における、上記バネ１１,１２,１３が固着された側面とは反対側の側面に対しては、バー駆動用マグネット９,１０がそれぞれ固着されている。
これらバー駆動用マグネット９,１０は、シャッタ１Ｂを開放状態から閉状態に戻す際（つまりシャッタ１Ｂのロック時）に、上記バネ１１,１２,１３によりＡ方向に付勢されるリンクバー４を、Ａ方向とは逆方向に戻すために設けられたものである。
【００２７】
図３は、本実施の形態で設定されるシャッタ１Ｂのロック解除の順番について説明するための図である。
この図３において、図３（ａ）（ｂ）（ｃ）の各図では先の図２における一部を抽出して示しており、図３（ａ）では主に第１ロック・スライドバー２の周辺の構造のみを抽出し、図３（ｂ）では主に第２ロック・スライドバー３の周辺の構造のみを抽出し、また図３（ｃ）では主にリンクバー４周辺の構造を抽出して示している。
【００２８】
本実施の形態においては、ロック解除のための手順１として、先ずは図３（ａ）に示されるように第１ロック・スライドバー２をスライドさせて当該第１ロック・スライドバー２によるシャッタ１Ｂのロック状態を解除させる。すなわち、カートリッジ１外部からの磁力により、第１マグネット５を図中のＣ方向（つまりシャッタロックのために第１ロック・スライドバー２をスライド移動させるべき方向とは逆方向）に移動させることで、第１ロック・スライドバー２によるシャッタ１Ｂのロック状態を解除させる。
次いで、手順２として、図３（ｂ）のように第２ロック・スライドバー３をスライドさせて当該第２ロック・スライドバー３によるシャッタ１Ｂのロック状態を解除させる。具体的には、カートリッジ１外部からの磁力により、第２マグネット６を図中のＢ方向（つまりシャッタロックのために第２ロック・スライドバー３をスライド移動させるべき方向とは逆方向）に移動させることで、第２ロック・スライドバー３によるシャッタ１Ｂのロック状態を解除させるものである。
【００２９】
ここで、詳しくは後述するが、上記第１ロック・スライドバー２に対しては、図３（ａ）のように当該第１ロック・スライドバー２がシャッタ１Ｂのロック状態を解除するようにスライド移動された場合において、リンクバー４の一方の端部を挿通するための凹部（リンクバー挿通部２Ｂ）が形成されている。
同様に、上記第２ロック・スライドバー２に対しても、図３（ｂ）のように当該第２ロック・スライドバー３がシャッタ１Ｂのロック状態を解除するようにスライド移動された場合において、リンクバー４の他方の端部を挿通するための凹部（リンクバー挿通部３Ｂ）が形成されている。
このことで、図３（ａ）の手順１、図（ｂ）の手順２の順で第１ロック・スライドバー２のスライド移動、上記第２ロック・スライドバー３のスライド移動が行われることで、先の図２に示したＡ方向に付勢されているリンクバー４は、その一方の端部が上記第１ロック・スライドバー２の凹部を挿通し、またその他方の端部が上記第２ロック・スライドバー３の凹部を挿通することとなり、その結果、図３（ｂ）に示されるようにリンクバー４は、第１ロック・スライドバー２,第２ロック・スライドバー３をそれぞれロック解除時のスライド移動位置でロックするようになる。
【００３０】
ここで、上記のような動作が実現されるようにするためには、第１ロック・スライドバー２,第２ロック・スライドバー３がそれぞれシャッタ１Ｂをロックしている状態において、リンクバー４の各端部が、上記第１ロック・スライドバー２,第２ロック・スライドバー３に形成されたリンクバー挿通用の凹部と対向する位置にあってはならないものとなる。
また、ロック解除のためのスライド移動に伴って上記リンクバー４の端部が上記挿通用の凹部を挿通するようにさせるためには、リンクバー４の上記一方の端部は、上記第１ロック・スライドバー２がシャッタ１Ｂをロックしている状態において、当該第１ロック・スライドバー２に形成された上記挿通用の凹部よりもＣ方向側にずれた位置に位置している必要がある。同様に、リンクバー４の上記他方の端部は、上記第２ロック・スライドバー３がシャッタ１Ｂをロックしている状態において、当該第２ロック・スライドバー３に形成された上記挿通用の凹部よりもＢ方向側にずれた位置に位置している必要がある。
これらのことから、上記リンクバー４としては、上記第１ロック・スライドバー２,上記第２ロック・スライドバー３がそれぞれシャッタ１Ｂをロックしている状態において、その一方の端部が上記第１ロック・スライドバー２における上記挿通用の凹部と対向する位置からはＣ方向側にずれて位置し、且つ他方の端部が上記第２ロック・スライドバー３における上記挿通用の凹部と対向する位置からはＢ方向側にずれて位置するようにして位置決めが為されるものとなる。
なおこのとき、上記挿通用の凹部は、第１ロック・スライドバー２,第２ロック・スライドバー３がそれぞれシャッタ１Ｂのロックを解除した位置にスライドした状態において、リンクバー４の端部を挿通できるように形成されることは言うまでもない。
【００３１】
[３．ロック解除順を設定するための構成]
続いては、上記のようなロック解除の順番の設定を可能とするための具体的な構成について説明する。
図４（ａ）、図４（ｂ）は、リンクバー４の上記他方の端部としての第２ロック・スライドバー側端部４-3の構造、第２ロック・スライドバー３の構造をそれぞれ斜視図により示している。
図４（ａ）に示すように、リンクバー４における第２ロック・スライドバー側端部４-3の先端形状は、四角形状とされている。
ここで、この第２ロック・スライドバー側端部４-3の先端部における、第２ロック・スライドバー３のスライド方向と平行な方向の幅をａとする。
【００３２】
一方、図４（ｂ）に示すように、第２ロック・スライドバー３には、先に述べたリンクバー４の挿通用の凹部としての、リンクバー挿通部３Ｂが形成されている。ここで、第２ロック・スライドバー３において、上記リンクバー挿通部３Ｂの形成に伴い形成される２つの凸部のうち、シャッタ１Ｂを係止する側となる凸部のことを、図のように勘合凸部３Ａと呼ぶこととする。
上記リンクバー挿通部３Ｂは、第２ロック・スライドバー３のスライド方向に平行な方向の幅ｂが、少なくとも上述した第２ロック・スライドバー側端部４-3の幅ａよりも大となるようにして形成される。
【００３３】
図５は、シャッタロック時とロック解除時とにおける第２ロック・スライドバー３と第２ロック・スライドバー側端部４-3との位置関係について説明するための図として、図５（ａ）は第２ロック・スライドバー３によるシャッタ１Ｂのロック状態時における第２ロック・スライドバー３と第２ロック・スライドバー側端部４-3との位置関係を、また図５（ｂ）は第２ロック・スライドバー３によるシャッタ１Ｂのロック状態が解除されたときの第２ロック・スライドバー３と第２ロック・スライドバー側端部４-3との位置関係をそれぞれ斜視図により示している。
【００３４】
先ず、図５（ａ）に示すように、シャッタロック時には、先に説明したリンクバー４の位置決めにより、第２ロック・スライドバー側端部４-3は、第２ロック・スライドバー３におけるリンクバー挿通部３Ｂの形成位置からＢ方向側にずれた位置と対向していることになる。
このとき、リンクバー４全体は、先の図２にて説明したバネ１１,１２,１３によってＡ方向に付勢されているので、第２ロック・スライドバー側端部４-3の先端部は、上記第２ロック・スライドバー３におけるリンクバー挿通部３Ｂの形成位置からＢ方向側にずれた位置を押圧していることになる。
【００３５】
そして、ロック解除のために第２ロック・スライドバー３がＢ方向にスライド移動されると、図５（ｂ）に示すようにして、第２ロック・スライドバー側端部４-3は、第２ロック・スライドバー３におけるリンクバー挿通部３Ｂの形成位置と対向するようになる。
【００３６】
図６は、シャッタロック時とロック解除時における第２ロック・スライドバー３付近の様子を平面図により示している。
図６（ａ）は、シャッタロック時における第２ロック・スライドバー３、第２ロック・スライドバー側端部４-3、第２マグネット６、バネ６、及びシャッタ１Ｂの各部の位置関係を示し、図６（ｂ）は同各部のシャッタロック解除時における位置関係を示している。
【００３７】
先ず、これら図６（ａ）（ｂ）に示されるように、本実施の形態の場合、シャッタ１Ｂに対しては、第２ロック・スライドバー３の勘合凸部３Ａを勘合するための、第２勘合凹部１Ｂ-2が形成されている。
この第２勘合凹部１Ｂ-2は、シャッタ１Ｂが閉状態にある場合において、図中のＢ方向とは逆のＣ方向に付勢される第２ロック・スライドバー３の勘合凸部３Ａを勘合できる位置に対して形成される。
このことで、図６（ａ）に示すシャッタロック状態では、上記勘合凸部３Ａが上記第２勘合凹部１Ｂ-2に勘合して、第２ロック・スライドバー３がシャッタ１Ｂの一部を係止する状態が得られるようになっている。
【００３８】
このようなシャッタロック状態から、第２ロック・スライドバー３が図中のＢ方向にスライド移動されると、図６（ｂ）に示されるようにして上記勘合凸部３Ａと上記第２勘合凹部１Ｂ-2による勘合状態が解除され、第２ロック・スライドバー３によるシャッタ１Ｂのロック状態が解除されると共に、第２ロック・スライドバー３とリンクバー４における第２ロック・スライドバー側端部４-3との位置関係が先の図５（ｂ）に示した状態となることに伴い、第２ロック・スライドバー側端部４-3がリンクバー挿通部３Ｂを挿通して、リンクバー４が第２ロック・スライドバー３をロック解除時の位置でロックすることになる。
【００３９】
続いて、第１ロック・スライドバー２側の構成について説明する。
図７（ａ）、図７（ｂ）は、上述したリンクバー４の一方の端部としての第１ロック・スライドバー側端部４-2の構造、第１ロック・スライドバー２の構造をそれぞれ斜視図により示している。
図７（ａ）に示すように、リンクバー４における第１ロック・スライドバー側端部４-2には、その先端部においてスライドロック用凸部４Ａが形成されている。
このスライドロック用凸部４Ａとしては、第１ロック・スライドバー２に形成される後述するスライドロック用凹部（２Ｃ）と勘合できる凸部分が形成されるようにして、上記第１ロック・スライドバー側端部４-2の先端部に対して形成されている。
ここで、このようにスライドロック用凸部４Ａに形成される、上記スライドロック用凹部２Ｃと勘合可能な凸部の幅（第１ロック・スライドバー２のスライド方向と平行な方向の幅）を図のようにｃとする。
なおこの場合、第１ロック・スライドバー側端部４-2全体の幅（第１ロック・スライドバー２のスライド方向と平行な方向の幅）は、先の第２ロック・スライドバー側端部４-3と同じａであるとする。
【００４０】
続いて、図７（ｂ）において、第１ロック・スライドバー２には、先に述べたリンクバー４の挿通用の凹部としてのリンクバー挿通部２Ｂが形成されている。このリンクバー挿通部２Ｂは、第１ロック・スライドバー２のスライド方向と平行な方向の幅ｂが、上記幅ａよりも大となるようにして形成される。
このリンクバー挿通部２Ｂの形成に伴い第１ロック・スライドバー２において形成される２つの凸部のうち、シャッタ１Ｂを係止する側となる凸部のことを勘合凸部２Ａと呼ぶ。
【００４１】
また、第１ロック・スライドバー２には、上記第１ロック・スライドバー側端部４-2の先端部に形成された上記スライドロック用凸部４Ａにおける上記幅ｃを有する部分を勘合可能とするための、スライドロック用凹部２Ｃが形成されている。
このスライドロック用凹部２Ｃは、第１ロック・スライドバー２における、上記リンクバー挿通部２Ｂを挟んで上記勘合凸部２Ａとは反対側となる位置に対して形成される。すなわち、このスライドロック用凹部２Ｃは、上記リンクバー挿通部２ＢよりもＣ方向側（第１ロック・スライドバー２のバネ付勢方向とは逆方向側）となる位置に対して形成されているものである。
このスライドロック用凹部２Ｃは、第１ロック・スライドバー２のスライド方向と平行な方向の幅ｄが、上記幅ｃよりも大となるように形成される。
【００４２】
図８は、シャッタロック時における第１ロック・スライドバー２付近の様子を説明するための図として、図８（ａ）は、シャッタロック時における第１ロック・スライドバー２と第１ロック・スライドバー側端部４-2との位置関係を斜視図により示し、図８（ｂ）はシャッタロック時における第１ロック・スライドバー２、第１ロック・スライドバー側端部４-2、第１マグネット５、バネ７、及びシャッタ１Ｂの各部の位置関係を平面図により示している。
【００４３】
先ず図８（ａ）に示されるように、シャッタロック時において、第１ロック・スライドバー側端部４-2は、上記スライドロック用凸部４Ａにおける上記幅ｃを有する部分が、第１ロック・スライドバー２におけるスライドロック用凸部２Ｃと対向するようにして位置している。
ここで、先の説明では、シャッタロック時には、第１ロック・スライドバー側端部４-2が第１ロック・スライドバー２におけるリンクバー挿通部２ＢよりもＣ方向側にずれた位置と対向するようにしてリンクバー４が位置決めされるということまでを言及したが、厳密には、このようにスライドロック用凸部４Ａにおける上記幅ｃを有する部分が第１ロック・スライドバー２におけるスライドロック用凸部２Ｃと対向するようにして位置するという条件も満たされるようにする必要がある。
従って本実施の形態の場合においては当該条件も満たされるようにしてリンクバー４の位置決め（或いはスライドロック用凹部２Ｃの形成位置の調整）が行われることになる。
【００４４】
また、図８（ｂ）に示されるように、シャッタ１Ｂに対しては、第１ロック・スライドバー２の勘合凸部２Ａを勘合するための、第１勘合凹部１Ｂ-1が形成されている。
この第１勘合凹部１Ｂ-1は、シャッタ１Ｂが閉状態にある場合において、図中のＢ方向に付勢される第１ロック・スライドバー２の勘合凸部２Ａを勘合できる位置に対して形成される。
このことで、シャッタロック状態においては、上記勘合凸部２Ａが上記第１勘合凹部１Ｂ-1に勘合して、第１ロック・スライドバー２がシャッタ１Ｂの一部を係止する状態が得られるようになっている。
【００４５】
またこの図８（ｂ）にも示されているように、シャッタロック状態では、第１ロック・スライドバー側端部４-2（リンクバー４）が、そのスライドロック用凸部４Ａにおける上記幅ｃを有する部分が第１ロック・スライドバー２におけるスライドロック用凸部２Ｃと対向する状態で静止していることになる。
【００４６】
ここで、先の図２の説明からも理解されるように、リンクバー４は、バネ１１,１２,１３によりＡ方向に付勢されているものである。このようにＡ方向に付勢されているにも関わらず図８に示すようにスライドロック用凸部４Ａの上記幅ｃを有する部分がスライドロック用凸部２Ｃと対向する位置で静止している（つまり勘合しない）のは、シャッタロック状態においては、先の図６（ａ）に示したように、リンクバー４の他方の端部である第２ロック・スライドバー側端部４-3が、第２ロック・スライドバー３の側面によって押さえ付けられており、これによってリンクバー４全体のＡ方向への移動が制限されているためである。
【００４７】
図９は、シャッタロック解除時における第１ロック・スライドバー２付近の様子を説明するための図として、図９（ａ）はシャッタロック解除時における第１ロック・スライドバー２と第１ロック・スライドバー側端部４-2との位置関係を斜視図により示し、図９（ｂ）はシャッタロック解除時における第１ロック・スライドバー２、第１ロック・スライドバー側端部４-2、第１マグネット５、バネ７、及びシャッタ１Ｂの各部の位置関係を平面図により示している。
【００４８】
先に説明したようにして、シャッタロック解除時には、先ずは第１ロック・スライドバー２によるシャッタ１Ｂの係止状態（ロック状態）を解除するようにされる。このような第１ロック・スライドバー２によるシャッタ１Ｂのロック状態の解除のために、第１ロック・スライドバー２が図中のＣ方向にスライド移動されると、図９（ｂ）に示されるようにして、上述したシャッタ１Ｂの第１勘合凹部１Ｂ-1に対する勘合凸部２Ａによる勘合状態が解除されて、第１ロック・スライドバー２によるシャッタ１Ｂのロック状態が解除される。このとき、第１ロック・スライドバー２と、リンクバー４の第１ロック・スライドバー側端部４-2との位置関係としては、図示するようにして、第１ロック・スライドバー側端部４-2のスライドロック用凸部４Ａを含む先端面全体が、第１ロック・スライドバー２に形成されたリンクバー挿通部２Ｂと対向する位置関係となる。
【００４９】
ここで、上記のように本実施の形態では第１ロック・スライドバー２によるロック状態を先に解除するので、リンクバー４は、上記のように第１ロック・スライドバー側端部４-2のスライドロック用凸部４Ａを含む先端面全体が第１ロック・スライドバー２に形成されたリンクバー挿通部２Ｂと対向する状態で静止された状態となる。すなわち、このように第１ロック・スライドバー２によるロック状態を解除した時点では、上記リンクバー挿通部２Ｂを上記第１ロック・スライドバー側端部４-2（リンクバー４）が挿通することはない。
これは、第２ロック・スライドバー３側がロック状態にある場合には、先に述べたようにしてリンクバー４の他方の端部である第２ロック・スライドバー側端部４-3が第２ロック・スライドバー３の側面によって静止されており、これによってリンクバー４全体のＡ方向への移動が制限されているためである。
【００５０】
上記のようにして先ずは第１ロック・スライドバー２によるシャッタ１Ｂのロック状態を解除した上で、先の図５,図６で説明したようにして第２ロック・スライドバー３によるシャッタ１Ｂのロック状態を解除する。
このように第２ロック・スライドバー３側のロック状態を解除することで、リンクバー４は、図６（ｂ）に示したようにして第２ロック・スライドバー３のリンクバー挿通部３Ｂを挿通することになる。
【００５１】
このように第２ロック・スライドバー３側のロック状態解除に伴いリンクバー４が端部４-3側にて上記リンクバー挿通部３Ｂを挿通すると、これと同時に、次の図１０に示されるようにしてリンクバー４の端部４-2がＡ方向に移動して第１ロック・スライドバー２に形成されたリンクバー挿通部２Ｂを挿通することになる。
このようにリンクバー４の端部４-2が上記リンクバー挿通部２Ｂを挿通することで、第１ロック・スライドバー２は、上記リンクバー４により、そのスライド方向における位置がロック解除時の位置でロックされることになる。
【００５２】
ここで、上記のような第１ロック・スライドバー２→第２ロック・スライドバー３の正規順でロック解除が行われなかった場合を想定してみる。
第２ロック・スライドバー３側から先にロック状態の解除を行った場合には、図６（ｂ）に示したように、先ずはリンクバー４の第２ロック・スライドバー側端部４-3がリンクバー挿通部３Ｂを挿通することになる。
このとき、ロック解除前における第１ロック・スライドバー２側では、先の図８に示したように、第１ロック・スライドバー側端部４-2におけるスライドロック用凸部４Ａの幅ｃを有する部分がスライドロック用凸部２Ｃと対向している状態にある。このような状態において、上記のように第２ロック・スライドバー側端部４-3がリンクバー挿通部３Ｂを挿通する、すなわちこれに伴ってリンクバー４全体がＡ方向に移動することによっては、次の図１１の斜視図に示すようにして、上記スライドロック用凸部４Ａの幅ｃを有する部分が、上記スライドロック用凸部２Ｃと勘合してしまうことになる。つまりこのことで、第１ロック・スライドバー２は、シャッタロック状態でのスライド位置にロックされるものとなり、該位置からのスライド移動が不能な状態とされてしまう。従ってその結果、第１ロック・スライドバー２側でのシャッタ１Ｂのロック解除が不能な状態となるものである。
【００５３】
このようにして本実施の形態のディスクカートリッジ１は、シャッタ１Ｂをロック状態とするための複数のシャッタロック部について、正規の順番でそれらのロック状態を解除していかなければ上記シャッタ１Ｂに対する全てのロック状態を解除することが不能となるように構成されている。
【００５４】
[４．駆動装置側の構成]
続いて、上記により説明した本実施の形態のディスクカートリッジ１に対応してシャッタ１Ｂのロック解除を行うように構成された、本実施の形態としての駆動装置の構成について説明する。
図１２の斜視図は、シャッタ１Ｂのロック解除、及びシャッタ１Ｂの開閉を行うために上記駆動装置に備えられるメカ部分の構成について説明するための図である。
なお、図１２（ａ）（ｂ）では、駆動装置側のメカ部分の構成に関しては同じものを示しているが、ディスクカートリッジ１内の構造との対応関係が示されるように、図１２（ｂ）ではディスクカートリッジ１内の構造を透視図により示している。
また図１２において、図中のＤ方向は先の図２などに示したＡ方向とは逆方向を指すものである。
【００５５】
この図１２に示されるように、本実施の形態の駆動装置は、トレー２０、シャッタ開閉アーム２１、第１マグネット２２、第２マグネット２３、第３マグネット２４、第４マグネット２５、アーム２６,２７,２８が設けられている。
【００５６】
上記トレー２０は、駆動装置に対して装填されたディスクカートリッジ１を予め定められた所定の位置に保持するために設けられたものである。
【００５７】
また、上記シャッタ開閉アーム２１は、その先端部が上記トレー２０により保持されたディスクカートリッジ１におけるシャッタ１Ｂと当接するように設けられ、シャッタ１Ｂを開閉するように駆動される。
【００５８】
上記第１マグネット２２は、ディスクカートリッジ１内部の第１マグネット５に外部からの磁力を与えて、第１ロック・スライドバー２をスライド移動させるために設けられる。
図示するように第１マグネット２２は、アーム２６により保持されている。
【００５９】
ここで、本実施の形態では、上記アーム２６が駆動されて第１マグネット２２が図中に示す位置に到達することで、ディスクカートリッジ１側の第１マグネット５を、第１ロック・スライドバー２によるロック状態を解除できる位置まで移動させるようになっている。
具体的に、この場合の上記アーム２６・第１マグネット２２は、少なくともトレー２０上にディスクカートリッジ１が保持される以前は、図中に示す位置よりもＤ方向側に待避した状態とされている。そして、トレー２０上にディスクカートリッジ１が保持された後に、上記アーム２６がＡ方向に移動するように駆動されることで、図中に示す位置に到達するようになっている。
この場合、Ｂ−Ｃ軸方向における上記アーム２６と第１マグネット２２の取付位置は、上記第１マグネット２２のＢ−Ｃ軸方向における位置が、上記「カートリッジ１側の第１マグネット５を第１ロック・スライドバー２によるロック状態を解除する位置まで移動させることのできる位置」の延長線上となるようにして調整される。つまりこれにより、上記待避状態にあるアーム２６・第１マグネット２２を、Ａ方向に所定量だけ移動させることで、第１ロック・スライドバー２によるシャッタロック状態を解除できるように図られているものである。
【００６０】
第２マグネット２３は、ディスクカートリッジ１内部の第２マグネット６に外部からの磁力を与えて、第２ロック・スライドバー３をスライド移動させるために設けられる。
この第２マグネット２３は、図示するようにアーム２７により保持されている。
本実施の形態の場合、第２ロック・スライドバー３のロック解除についても、上記第１ロック・スライドバー２側と同様に、上記アーム２７・第２マグネット２３を待避状態からＡ方向に所定量だけ移動させることで行うものとしている。
このために、上記アーム２７、上記第２マグネット２３についても、そのＢ−Ｃ軸方向における取付位置は、上記第２マグネット２３のＢ−Ｃ軸方向における位置が、「カートリッジ１側の第２マグネット６を第２ロック・スライドバー３によるロック状態を解除する位置まで移動させることのできる位置」の延長線上となるようにして調整される。これにより、待避状態にあるアーム２７・第２マグネット２３をＡ方向に所定量だけ移動させることで、第２ロック・スライドバー３によるシャッタロック状態を解除できるようになっている。
【００６１】
また、第３マグネット２４、第４マグネット２５は、それぞれ、ディスクカートリッジ１内部のバー駆動用マグネット９、１０に外部からの磁力を与えて、リンクバー４をＤ方向に移動させるために設けられる。つまりこれら第３マグネット２４、第４マグネット２５は、シャッタロック解除状態における第１ロック・スライドバー２と上記第２ロック・スライドバー３とに対するリンクバー４の挿通状態（図６（ｂ）,図１０の状態：スライドロック状態）を解除するために設けられたものである。
図示するように第３マグネット２４、第４マグネット２５は、それぞれ、Ｔ形状によるアーム２８の左右の先端部のうち対応する一方の側に固着されており、これにより上記第３マグネット２４、上記第４マグネット２５は上記アーム２８の移動に伴い同じ移動量だけ移動されるようになっている。
【００６２】
ここで、これら第３マグネット２４・第４マグネット２４・アーム２８の組は、１度ロック状態を解除して開放状態としたシャッタ１Ｂを、カートリッジのイジェクト時などに応じてロック状態とする際に用いられるものである。
本実施の形態の場合、これら第３マグネット２４・第４マグネット２４・アーム２８は、このようにシャッタ１Ｂをロック状態とするとき以外は図中に示す位置よりもＤ方向側に待避させるものとしている。つまりこれら第３マグネット２４・第４マグネット２４・アーム２８としても、所定のタイミングで上記待避状態からＡ方向に駆動することで、上記第３マグネット２４、第４マグネット２５をそれぞれディスクカートリッジ１側のバー駆動用マグネット９、１０付近の所定位置に位置させることで、シャッタロック解除状態での上記リンクバー４によるスライドロック状態を解除させる。
このような動作を実現するために、上記アーム２８、第３マグネット２４、第４マグネット２４の取付位置は、上記第３マグネット２４のＢ−Ｃ軸方向における位置が上記バー駆動用マグネット９の配置位置の延長線上となり、且つ上記第４マグネット２４のＢ−Ｃ軸方向における位置が上記バー駆動用マグネット１０の配置位置の延長線上となるように調整される。これにより、上記アーム２８を上記待避状態からＡ方向に所定量だけ移動させることで、上記リンクバー４による上記スライドロック状態が解除されるようにして上記リンクバー４を移動させることができる。
【００６３】
図１３は、図１２に示したメカ部分の各部を駆動するための駆動装置内の構成を示している。なおこの図１３においても図１２に示した第１マグネット２２、第２マグネット２３、第３マグネット２４、第４マグネット２５、アーム２６,２７,２８を示している。
【００６４】
図１３において、第１アクチュエータ３１は、第１マグネット２２を保持するアーム２６を図１２に示したＡ方向及びＤ方向に移動可能に保持する。第１アクチュエータ３１は、制御部３０からの制御に基づき上記アーム２６（つまり第１マグネット２２）を上記Ａ方向又はＤ方向に移動させる。
【００６５】
また、第２アクチュエータ３２は、第２マグネット２３を保持するアーム２７を上記Ａ方向及びＤ方向に移動可能に保持する。第２アクチュエータ３２は、制御部３０からの制御に基づき上記アーム２７（つまり第２マグネット２３）を上記Ａ方向又はＤ方向に移動させる。
【００６６】
また第３アクチュエータ３３は、第３マグネット２４及び第４マグネット２５を保持するアーム２８を上記Ａ方向及びＤ方向に移動可能に保持する。第３アクチュエータ３３は、制御部３０からの制御に基づき上記アーム２８（つまり第３マグネット２４及び第４マグネット２５）を上記Ａ方向又はＤ方向に移動させる。
【００６７】
シャッタ開閉アーム駆動部３４は、制御部３０からの制御に基づき図１２に示したシャッタ開閉アーム２１を駆動してディスクカートリッジ１に設けられたシャッタ１Ｂを開／閉させる。
【００６８】
制御部３０は、上記による各部を制御してトレー２０上に保持されたディスクカートリッジ１に形成されたシャッタ１Ｂについての開閉動作、及びシャッタロック／ロック解除動作を実現させる。
先ず、駆動装置に対して装填されたディスクカートリッジ１が、上記トレー２０により所定位置に保持されると、制御部３０は、シャッタ１Ｂのロック状態を解除し、シャッタ１Ｂを開放状態とするための制御を行う。
具体的に、シャッタ１Ｂのロック状態の解除にあたっては、先ず、第１アクチュエータ３１を制御して、上述した待避状態にあるアーム２６（第１マグネット２２）をＡ方向に予め定めたれた所定の移動量だけ移動させる。この「所定の移動量」は、第１マグネット２２のＡ−Ｄ軸方向における位置を、「カートリッジ１側の第１マグネット５を第１ロック・スライドバー２によるロック状態を解除する位置まで移動させることのできる位置」とすることができるようにして予め定められたものである。
このような「所定の移動量」に基づく第１アクチュエータ３１の駆動制御が行われることで、アーム２６に保持された第１マグネット２２が、「カートリッジ１側の第１マグネット５を第１ロック・スライドバー２によるロック状態を解除する位置まで移動させることのできる位置」に到達することになる。つまりこれにより、先ずは第１ロック・スライドバー２によるシャッタ１Ｂのロック状態が解除されることになる。
【００６９】
そして、これに続き制御部３０は、第２アクチュエータ３１を制御して、上述した待避状態にあるアーム２７（第２マグネット２３）をＡ方向に所定の移動量だけ移動させる。この「所定の移動量」としても、上記第１マグネット２２・アーム２６側と同様に、上記第２マグネット２３のＡ−Ｄ軸方向における位置を「カートリッジ１側の第２マグネット６を第２ロック・スライドバー３によるロック状態を解除する位置まで移動させることのできる位置」とすることができるようにして予め定められたものとなっている。
従って上記による第２アクチュエータ３２に対する駆動制御が行われることで、アーム２７に保持された第２マグネット２３が、「カートリッジ１側の第２マグネット６を第２ロック・スライドバー３によるロック状態を解除する位置まで移動させることのできる位置」に到達することになり、結果、第２ロック・スライドバー３によるシャッタ１Ｂのロック状態も解除されることになる。
これによって、シャッタ１Ｂの全ロック状態が解除されたことになる。
【００７０】
このようなシャッタロック解除のための駆動制御を行った後、制御部３０は、シャッタ開閉アーム駆動部３４に対する制御を行って、図１２に示したシャッタ開閉アーム２１を、シャッタ１Ｂを開放させる方向に駆動させる。
【００７１】
以上のような制御部３０による一連の駆動制御により、シャッタ１Ｂのロック状態の解除からシャッタ１Ｂの開放までの一連の動作が実現される。
【００７２】
また制御部３０は、例えば光ディスク１Ｃに対する記録／再生の終了などに応じてディスクカートリッジ１をイジェクトすべき状態となったことに応じて、シャッタ１Ｂを閉状態とし、シャッタロック状態が得られるようにするための制御も行う。
つまりこの場合、制御部３０は、先ずはシャッタ開閉アーム駆動部３４に対する制御を行ってシャッタ開閉アーム２１をシャッタ１Ｂを閉状態とさせる方向に駆動させる。
そして、このようにシャッタ１Ｂを閉状態としての位置に移動させた上で、制御部３０は、第３アクチュエータ３３を制御して、上述した待避状態にあるアーム２８（つまり第３マグネット２４及び第４マグネット２５）をＡ方向に所定の移動量だけ移動させる。この「所定の移動量」は、上記第３マグネット２４・第４マグネット２５のＡ−Ｄ軸方向における位置を、「バー駆動用マグネット９、１０を、リンクバー４による上記スライドロック状態が解除される位置まで移動させることのできる位置」とできるようにして予め設定される。
従って、上記のようにアーム２８をＡ方向に上記所定の移動量だけ移動させる制御を行うことで、上記第３マグネット２４・第４マグネット２５を、「バー駆動用マグネット９、１０を、リンクバー４による上記スライドロック状態が解除される位置まで移動させることのできる位置」に位置させることができ、この結果、上記リンクバー４による第１ロック・スライドバー２と第２ロック・スライドバー３とに対するスライドロック状態を解除することができる。
【００７３】
このようにリンクバー４による第１ロック・スライドバー２と第２ロック・スライドバー３とに対するスライドロック状態が解除されることで、バネ７,８によりそれぞれ付勢される第１ロック・スライドバー２、第２ロック・スライドバー３は、シャッタ１Ｂをロックする方向にそれぞれスライド移動することになる。つまりこれにより、シャッタ１Ｂが再びロック状態に戻ることになる。
【００７４】
ここで、このようにバネの付勢力により第１ロック・スライドバー２、第２ロック・スライドバー３によるシャッタロックを行うとする場合には、アーム２６により保持された第１マグネット２２、アーム２７により保持された第２マグネット２３のそれぞれが、シャッタロックを解除させたときの位置のまま配置され続けてはならい。このため、制御部３０は、上述したシャッタロック解除時における駆動制御を行った後には、これらアーム２６（第１マグネット２２）、アーム２７（第２マグネット２３）を上述した待避状態としての位置に移動させる（つまりＤ方向に駆動する）ように、第１アクチュエータ３２、第２アクチュエータ３２を制御することになる。
【００７５】
[５．第１の実施の形態のまとめ]
以上のようにして本実施の形態では、
１）シャッタ１Ｂのロックが複数箇所で行われる（シャッタ１Ｂのロック解除は複数箇所にて行う必要がある）
２）シャッタロックを行うロック部がカートリッジ１のケース１Ａ内部に設けられ、ロックの解除が外部からの磁力に応じて行われる
３）シャッタロックを解除するための順番が規定されており、その順でロック解除を行わなければシャッタ１Ｂの全てのロック状態を解除できない
ものとしている。
このことで、シャッタ１Ｂの誤開放が生じる可能性をより低くすることができる。特に上記３）の条件が課されることによって、シャッタ１Ｂの誤開放が生じる可能性は格段に低くすることができる。
【００７６】
このようにシャッタ１Ｂの誤開放が生じる可能性をより低くできることで、シャッタ１Ｂの誤開放に伴う記録／再生性能の悪化を効果的に抑制できる。
また、特に本実施の形態の場合のように、カートリッジ１内に格納される光ディスク１Ｃがホログラム記録媒体（外部光に曝されることで記録材料が反応してしまう虞のある記録媒体）とされる場合においては、記録媒体が使用不能となってしまう事態の発生の防止をより強固に図ることができる。
【００７７】
また、先の図２を参照して分かるように、第１の実施の形態では、第１,第２のシャッタロック部としての[第１ロック・スライドバー２、第１マグネット５、バネ７]の組と[第２ロック・スライドバー３、第２マグネット６、バネ８]の組とが、ディスクカートリッジ１内におけるそれぞれ離間した位置に設けられるものとしている。
このようにそれぞれのシャッタロック部が離間して配置されていれば、仮に、ディスクカートリッジ１にマグネットなどの磁性体が近づけられたとしても、それぞれのロック状態が共に解除されてしまう可能性は低くすることができる。つまりこの点においても、シャッタ１Ｂの誤開放の防止が図られているものである。
【００７８】
また、本実施の形態では、各シャッタロック部において、シャッタロックの解除方向がそれぞれ異方向となるようにしている。具体的には、シャッタロックの解除方向がＢ方向とＣ方向とで異なるようにしている。このようにシャッタロックの解除方向をそれぞれ異方向としていることで、誤開放される可能性をさらに低くすることができる。
【００７９】
＜第２の実施の形態＞
[６．カートリッジ側の構成]
続いて、第２の実施の形態について説明する。
第２の実施の形態は、シャッタロック解除の条件として、上記１）及び３）の条件は第１の実施の形態の場合と同様とした上で、２）の条件において、シャッタロックの解除が外部からの電力に応じて行われるようにしたものである。
【００８０】
図１４は、第２の実施の形態としてのディスクカートリッジ４０の構造を示した斜視図である。
なおこの図１４ではディスクカートリッジ４０の内部の構造も示されるように、ディスクカートリッジ４０の構造を透視図により示している。
ここで、以下の説明において、既に第１の実施の形態で説明したものと同様となる部分については同一符号を付して説明を省略する。
【００８１】
この図１４と先の図２とを比較して分かるように、第２の実施の形態のディスクカートリッジ４０では、ディスクカートリッジ１に備えられていた第１ロック・スライドバー２、第２ロック・スライドバー３、リンクバー４、第１マグネット５、第２マグネット６、バネ７,８、バー駆動用マグネット９,１０、バネ１１,１２,１３が省略されている。
ディスクカートリッジ４０のケース１Ａの内部には、第１ロック・スライドバー２、第２ロック・スライドバー３が配置されていた位置に、第１ロック／解除用素子４１、第２ロック／解除用素子４２がそれぞれ設けられている。
またこの場合、ケース１Ａには、その外面の所定位置に対し、これら第１ロック／解除用素子４１、第２ロック／解除用素子４２に対する外部からの駆動電力の供給を受けるための第１電力入力端子ｔ１、第２電力入力端子ｔ２、グラウンド端子ｔGNDが形成されている。
【００８２】
図１５は、上記第１ロック／解除用素子４１、上記第２ロック／解除用素子４２の構造を示した図である。
この図に示されるように第１ロック／解除用素子４１、第２ロック／解除用素子４２は、それぞれソレノイドモータ４５、スライドバー４６、ロック板４７を備えている。
ソレノイドモータ４５は、その回転により上記スライドバー４６を図中の矢印方向にスライド移動させる。すなわち、上記スライドバー４６の押し出し／引き込みが可能となるように構成されている。
上記ロック板４７は、上記スライドバー４６の先端部に対して固着されており、従って上記スライドバー４６の動きと連動して動くようにされている。
【００８３】
図１６（ａ）（ｂ）は、ディスクカートリッジ４０における第２ロック／解除用素子４２の配置位置付近の拡大図を示しており、図１６（ａ）はシャッタロック時、図１６（ｂ）ではシャッタロックの解除時における様子を示している。
これら図１６（ａ）（ｂ）を対比して分かるように、図１６（ａ）のシャッタロック時には、スライドバー４６がソレノイドモータ４５により押し出されることでロック板４７がシャッタ１Ｂ側に設けられた第２勘合凹部１Ｂ-2と勘合して、シャッタロック状態が得られるようになっている。
また図１６（ｂ）のシャッタロック解除時には、スライドバー４６がソレノイドモータ４５により引き込まれることで、ロック板４７と第２勘合凹部１Ｂ-2との勘合状態が解除され、シャッタロックの解除が行われることになる。
【００８４】
また、図示は省略したが、第１ロック／解除用素子４１側においても、同様のしくみでシャッタロック／ロック解除状態が得られるようになっている。すなわち、シャッタロック時においては、第１ロック／解除用素子４１のスライドバー４６がソレノイドモータ４５により押し出されることでロック板４７がシャッタ１Ｂ側に設けられた第１勘合凹部１Ｂ-1と勘合してシャッタロック状態が得られる。また、シャッタロック解除時には、第１ロック／解除用素子４１のスライドバー４６がソレノイドモータ４５により引き込まれることで上記ロック板４７と第１勘合凹部１Ｂ-1との勘合状態が解除されて、シャッタロックの解除が行われる。
【００８５】
ここで、第２の実施の形態としても、シャッタロックを解除するための順番を規定するものである。具体的には、第１ロック／解除用素子４１によるロック状態の解除を行った後に、第２ロック／解除用素子４２によるロック状態の解除を行わなければ、シャッタ１Ｂに対する全てのロック状態を解除することができないようにしている。
【００８６】
図１７は、このようなロック解除順を設定するための構成を示した図である。
なおこの図では、第１ロック／解除用素子４１、第２ロック／解除用素子４２のそれぞれにおいてスライドバー４６が押し出されて、シャッタロック状態にあるものとする。
【００８７】
図１７に示すように、先の図１５に示した第１電力入力端子ｔ１は、図中のスイッチＳＷを介して第１ロック／解除用素子４１（のソレノイドモータ４５）と接続されている。また第２電力入力端子ｔ２は、第２ロック／解除用素子４２（のソレノイドモータ４５）と接続されている。
この場合、これら第１ロック／解除用素子４１、第２ロック／解除用素子４２のアース線は一部共用となっており、該共用のアース線がグラウンド端子ｔGNDに対して接続されている。
【００８８】
上記スイッチＳＷは、第２ロック／解除用素子４２がシャッタ１Ｂをロックしている状態ではオン状態となり、一方で、次の図１８に示すように第２ロック／解除用素子４２によるシャッタ１Ｂのロック状態が解除された状態では、オフとなるようにして構成される。
具体的にこの場合のスイッチＳＷは、図示するように第２ロック／解除用素子４２におけるスライドバー４６の動きに連動してオン／オフするように構成されている。すなわち、第２ロック／解除用素子４２のスライドバー４６が押し出された状態となることに応じてオンとなり、上記スライドバー４６が引き込まれた状態となることに応じてオフとなるように構成されているものである。
【００８９】
このようなスイッチＳＷが設けられることで、仮に、第２ロック／解除用素子４２によるシャッタ１Ｂのロック解除が先に行われた場合には、図１８に示すように第１ロック／解除用素子４１側への電力供給線が断線された状態となるので、当該第１ロック／解除用素子４１側でのシャッタ１Ｂのロック解除を行うことができなくなってしまう。
このようにして第２の実施の形態では、第１ロック／解除用素子４１側でのシャッタロック解除→第２ロック／解除用素子４２側でのシャッタロック解除という正規順でロック解除が行われなければ、シャッタ１Ｂに対する全てのロックを解除することができないようになっている。
【００９０】
[７．駆動装置側の構成]
図１９は、上記により説明した第２の実施の形態としてのディスクカートリッジ４０に対応してシャッタロックの解除を行う、第２の実施の形態としての駆動装置の内部構成を示している。
なおこの図ではディスクカートリッジ４０側に形成される第１電力入力端子ｔ１、第２電力入力端子ｔ２、グラウンド端子ｔGNDも併せて示している。
【００９１】
先ず、この場合の駆動装置には、ディスクカートリッジ４０側に設けられた第１電力入力端子ｔ１と接続するための第１電力供給端子Ｔ１が設けられる。同様に、ディスクカートリッジ４０側の第２電力入力端子ｔ２と接続するための第２電力供給端子Ｔ２、及びディスクカートリッジ４０側のグラウンド端子ｔGNDと接続するためのグラウンド端子ＴGNDが設けられている。
図示するように上記グラウンド端子ＴGNDはアース接地されている。
【００９２】
ここで、第２の実施の形態の駆動装置において、第１電力入力端子ｔ１・第１電力供給端子Ｔ１、第２電力入力端子ｔ２・第２電力供給端子Ｔ２、グラウンド端子ｔGND・グラウンド端子ＴGNDの各組は、ディスクカートリッジ４０が駆動装置内の所定位置（トレー２０上）に保持されることに応じて接続状態となるようにされている。
【００９３】
また、この場合の駆動装置には、上記第１電力供給端子Ｔ１を介してディスクカートリッジ４０側の第１ロック／解除用素子４１（のソレノイドモータ４５）に駆動電力を与えて、当該第１ロック／解除用素子４１におけるスライドバー４６の押し出し／引き込み駆動を行うための第１ドライバ５１が設けられる。
また、上記第２電力供給端子Ｔ１を介してディスクカートリッジ４０側の第２ロック／解除用素子４２（のソレノイドモータ４５）に駆動電力を与えて、当該第２ロック／解除用素子４２におけるスライドバー４６の押し出し／引き込み駆動を行うための第２ドライバ５２も設けられている。
さらに、これら第１ドライバ５１、第２ドライバ５２を制御する制御部５０が設けられる。
【００９４】
この場合の制御部５０は、上記所定位置に保持されたディスクカートリッジ４０について、シャッタ１Ｂのロックを解除すべき状態となったことに応じて、先ず、第１ドライバ５１を制御して、第１ロック／解除用素子４１によるスライドバー４６の引き込み動作を実行させる。つまりこれにより、先ずは第１ロック／解除用素子４１側でのシャッタ１Ｂのロックを解除させる。
そしてその後、第２ドライバ５２を制御して、第２ロック／解除用素子４２によるスライドバー４６の引き込み動作を実行させることで、第２ロック／解除用素子４２側でのシャッタ１Ｂのロックを解除させる。
これによってシャッタ１Ｂに対する全てのロックを解除することができる。
【００９５】
また制御部５０は、カートリッジ４０のイジェクトに伴いシャッタ１Ｂのロックを行うべき状態となったことに応じては、先ずは第２ドライバ５１を制御して第２ロック／解除用素子４２によるスライドバー４６の押し出し動作を実行させて、第２ロック／解除用素子４２側でのシャッタロックの方が先に行われるようにする。
そしてその後、第１ドライバ５１を制御して第１ロック／解除用素子４１によるスライドバー４６の押し出し動作を実行させて、第１ロック／解除用素子４１側でのシャッタロックを実行させる。
つまり、先の図１７、図１８を参照して分かるように、本実施の形態のディスクカートリッジ４０においては、第２ロック／解除用素子４２側がシャッタロックを行っている状態でなければ第１ロック／解除用素子４１に対する給電が不能となるので、シャッタロックの順番は、上記のようにして第２ロック／解除用素子４２→第１ロック／解除用素子４１の順とするものである。
【００９６】
なお、第２の実施の形態の場合においても、シャッタロック解除後におけるシャッタ１Ｂの開放動作、及びシャッタロック前にシャッタ１Ｂを閉じる動作については先の第１の実施の形態の場合と同様に行われる。
つまり、図示は省略したが、この場合の駆動装置に対しても先に説明したシャッタ開閉アーム２１、シャッタ開閉アーム駆動部３４が設けられ、制御部５０が、先の制御部３０と同様に上記シャッタ開閉アーム駆動部３４に対する制御を行うことで、シャッタロック解除後におけるシャッタ１Ｂの開放動作、及びシャッタロック前にシャッタ１Ｂを閉じる動作を実行させることになる。
【００９７】
上記により説明したように、第２の実施の形態では、外部からの電力の供給に応じてシャッタ１Ｂのロック状態が解除されるようにしている。
このような構成によれば、電力入力端子を介した電力供給を行わなければシャッタロックの解除を行うことができないようにできる。つまりユーザが意図的に電力入力端子を介した電力供給を行わない限り、シャッタ１Ｂが開放されることがないものとできる。
これに対し、第１の実施の形態のように磁力を利用したシャッタロック解除を行う場合には、ユーザの意図に関わらず不意に外部からの磁力が与えられてしまう場合があることを考慮すれば、その分だけ誤開放の可能性があることになる。
この点より、シャッタロック解除を電力を利用して行う方が、磁力を利用する場合よりも誤開放の発生の防止をより強固に図ることができる。
【００９８】
さらに、第２の実施の形態としても、シャッタロックの解除の順番を設定しているので、この点で誤開放の可能性をさらに低くすることができる。
【００９９】
＜変形例＞
以上、本発明の実施の形態について説明したが、本発明としてはこれまでに説明した具体例に限定されるべきものではない。
例えば第１の実施の形態においては、外部からの磁力に応じてロック・スライドバーを移動させる部材をマグネットとした（具体的には第１マグネット５、第２マグネット６）が、当該部材は磁性体であればよく、マグネットに限定されるべきものではない。
またこのとき、外部からの磁力は、カートリッジ１のケース１Ａを介して上記部材に作用させることになるが、このときケース１Ａが例えばプラスチックなどの非磁性体とされると磁気による制御が容易となり好ましい。
【０１００】
また、第１の実施の形態において、シャッタロック解除の順番を設定するための構成は、先に例示したものに限定されるものではなく、シャッタを係止する一方の係止部材（第２の係止部材）によるロックが先に解除された場合に、もう一方の係止部材（第１の係止部材）によるシャッタのロック状態の解除を不能とするように構成されたものであれば、他の構成を採ることもできる。
【０１０１】
また、第２の実施の形態においても、シャッタロック解除の順番を設定するための構成は先に例示したものに限定されず、上記と同様に、シャッタを係止する一方の係止部材（第２の実施の形態の場合はロック板４７が該当）によるロックが先に解除された場合に、もう一方の係止部材によるシャッタのロック状態の解除を不能とするように構成されたものであれば、他の構成を採ることもできる。
【０１０２】
またこれまでの説明では、シャッタロックを行うための係止部材がスライド駆動されることに伴ってシャッタのロック／ロック解除が行われる場合を例示したが、例えば回転など他の駆動手法を利用してロック／ロック解除が行われるように構成することもできる。
特に、第２の実施の形態のように外部からの電力に応じてロック／ロック解除を行う場合には、例えば形状記憶合金の変形を利用してシャッタのロック／ロック解除が行われるようにするといったこともできる。この場合、上記形状記憶合金を加熱可能な電気回路を設けておき、上記形状記憶合金の加熱／非加熱時の形状変化を利用して、シャッタのロック／ロック解除状態が得られるようにシャッタロック部を構成すればよい。
【符号の説明】
【０１０３】
１,４０  ディスクカートリッジ、１Ａ  ケース、１Ｂ-1  第１勘合凹部、１Ｂ-2  第２勘合凹部、１Ｃ  光ディスク、ＯＨ  開口部、２  第１ロック・スライドバー、２Ａ,３Ａ  勘合凸部、２Ｂ,３Ｂ  リンクバー挿通部、２Ｃ  スライドロック用凹部、３  第２ロック・スライドバー、４  リンクバー、４-2  第１ロック・スライドバー側端部、４-3  第２ロック・スライドバー側端部、４Ａ  スライドロック用凸部、５,２２  第１マグネット、６,２３  第２マグネット、７,８,１１,１２,１３  バネ、９,１０  バー駆動用マグネット、２０  トレー、２１  シャッタ開閉アーム、２４  第３マグネット、２５  第４マグネット、２６,２７,２８  アーム、３０,５０  制御部、３１  第１アクチュエータ、３２  第２アクチュエータ、３３  第３アクチュエータ、３４  シャッタ開閉アーム駆動部、４１  第１ロック／解除用素子４１、４２  第２ロック／解除用素子４２、ｔ１  第１電力入力端子、ｔ２  第２電力入力端子、ｔGND,ＴGND  グラウンド端子、４５  ソレノイドモータ、４６  スライドバー、４７  ロック板４７、ＳＷ  スイッチ、Ｔ１  第１電力供給端子、Ｔ２  第２電力供給端子、５１  第１ドライバ、５２  第２ドライバ
【図１】
2010211852.tif 000003
【図２】
2010211852.tif 000004
【図３】
2010211852.tif 000005
【図４】
2010211852.tif 000006
【図５】
2010211852.tif 000007
【図６】
2010211852.tif 000008
【図７】
2010211852.tif 000009
【図８】
2010211852.tif 000010
【図９】
2010211852.tif 000011
【図１０】
2010211852.tif 000012
【図１１】
2010211852.tif 000013
【図１２】
2010211852.tif 000014
【図１３】
2010211852.tif 000015
【図１４】
2010211852.tif 000016
【図１５】
2010211852.tif 000017
【図１６】
2010211852.tif 000018
【図１７】
2010211852.tif 000019
【図１８】
2010211852.tif 000020
【図１９】
2010211852.tif 000021